(57)【特許請求の範囲】
【請求項１】
選択された受信器機能の機能値を調整する制御パネルを有するＲＤＳラジオ受信器であって、
夫々の受信器機能の現在の機能値を表示する英数字ディスプレイと、
機能値を手動で調整する選択ボタンと、
ＲＤＳボタンとを有しており、
前記ＲＤＳボタンは手動で作動されたときに以下の所定のアクション、すなわち：
進行中のＲＤＳメッセージを取り消すこと、現在の機能値を表示し、該機能値を調整することによりさまざまなＲＤＳ受信器機能を制御できるメニューモードに入ること、あるいは前記受信器機能の間で循環すること、
のうちの一つの選択を生じる多機能ＲＤＳボタンであり、該アクションのうちの前記一つは当該受信器の現在の動作状態に応じて決定されることを特徴とする、ＲＤＳラジオ受信器。
【請求項２】
諸受信器機能は当該ＲＤＳボタンによって循環する際に所定のシーケンスで与えられ、
該所定のシーケンスは最初に最も頻繁に使用される受信器機能を与え、該所定のシーケンスの順序はどの受信器機能が最も頻繁に使用されるかに影響を与えうる当該受信器の現在の動作状態によって変わることを特徴とする、請求項１記載の受信器。
【請求項３】
該所定のシーケンスは、
（１）交通情報を切り換える機能と、
（２）ＲＤＳフォーマットを見つける機能と、
（３）ディスプレイ情報モードを設定する機能と、
（４）ラジオ放送が再生され、時計が以前に設定されているときに時計の時間を設定する機能とを含む順序づけられた機能を有する、請求項１記載の受信器。
【請求項４】
該所定のシーケンスは、
（１）時計の時間を設定する機能と、
（２）交通情報を切り換える機能と、
（３）ＲＤＳフォーマットを見つける機能と、
（４）ラジオ放送が再生され、該ラジオ受信器に電力が供給されたとき以来時計が以前に設定されていないときにディスプレイ情報モードを設定する機能とを含む順序づけられた機能を有する、請求項１記載の受信器。
【請求項５】
該多機能ＲＤＳボタンは、所定の時間の長さ以上に亘って押し続けられることによって、全てのＲＤＳ機能をオン及びオフの間で切り換えるために使用される、請求項１記載の受信器。
【請求項６】
該所定の時間の長さは約３秒である、請求項５記載の受信器。
【請求項７】
所定のタイムアウト期間に亘って該制御パネル上に制御作動がなければ、該メニューモードから出る、請求項１記載の受信器。
【請求項８】
該メニューモードにおける該受信器機能のうちの１つは、局サービス名及び空白の表示を有する機能値含む表示情報モードを設定することを含む、請求項１記載の受信器。
【請求項９】
該機能値は番組タイプ名を更に有する、請求項８記載の受信器。
【発明の詳細な説明】
【０００１】
【発明の属する技術分野】
本発明は概してラジオデータシステム（ＲＤＳ）に関し、更に特定的には受信器の中の様々なＲＤＳ機能にアクセスするための改善されたユーザインタフェースに関する。
【０００２】
【従来の技術】
欧州のＲＤＳシステム及び米国のラジオ放送データシステム（ＲＢＤＳ）といったラジオデータシステムは、受信器の様々な自動機能を達成し、聴取者に対する受信器の有用性を増加させるよう、ラジオ放送の中で補助情報を伝送する。補助情報は典型的には、交通情報を搬送する放送局を同定する交通情報放送可能（ＴＰ）フラグ及び現在放送局によって伝送されている交通情報を同定する交通情報（ＴＡ）フラグを含む。他のＲＤＳフラグは例えば緊急警報メッセージ、ニュース放送、及び気象情報等を同定するために伝送される。これらのフラグはラジオ受信器が自動車の運転者に対する交通情報を与える放送局に自動的に同調されることを可能にする。更に、ラジオ受信器は、交通情報が存在するときに自動的に交通情報に同調するよう、音声システムが交通情報放送可能ラジオ局以外の源からの音声信号を再生している間に交通情報放送可能局を監視しうる。
【０００３】
一般的に放送される他のタイプの補助情報は、放送局が動作する内容タイプを同定する番組タイプコード又は番組同定コード（例えばクラシック、ロック、ジャズ、ニュース又は特定のネットワーク番組）を含む。番組タイプ（ＰＴＹ）コードは聴取者が特定の番組フォーマットの放送局を探索する、又はラジオを走査同調させることを可能にする。
【０００４】
【発明が解決しようとする課題】
ＲＤＳ放送によって容易にされる多数の様々な特徴に関して、ＲＤＳラジオ受信器の制御パネルは標準的なラジオ受信器よりも複雑になっている。比較的多数のＲＤＳ特徴にアクセスする必要性により、ラジオ受信器はかさばるものとなり、聴取者はＲＤＳ特徴を制御するためにボタン押し下げの順序を記憶することが要求された。多くの従来技術の受信器は様々なＲＤＳ特徴を制御するために追加的な押しボタンを付け加えたが、空間は限られており、追加的なボタンはコストを増加させ、追加的なボタンは必ずしも受信器を操作しやすくさせない。
【０００５】
【課題を解決するための手段】
本発明は、ラジオ受信器の制御パネル上のより少ない数の押しボタンによって簡単且つ自然にＲＤＳ特徴がアクセスされうるという利点を有する。
本発明の１つの面によれば、ＲＤＳラジオ受信器は選択された受信器機能の機能値を調整する制御パネルを有する。受信器は、受信器がメニューモードにあるときに夫々の受信器機能の現在の機能値を表示する英数字ディスプレイを含む。選択ボタンは、現在表示されている受信器機能に対応する機能値を手動で調整する。多機能ＲＤＳボタンは、進行中のＲＤＳメッセージを取り消すため、上記メニューモードに入るため、又は上記受信器機能の間で循環するために、手動で作動される。上記アクションのうちのどの１つがＲＤＳボタンの手動の作動によって起こるかは、受信器の現在の動作状態に応じて決定される。
【０００６】
【発明の実施の形態】
図１は英数字ディスプレイ１１を含むラジオ制御パネル１０を示す図である。典型的には真空蛍光セグメントディスプレイが使用されうる。英数字ディスプレイ１１は様々な表示領域を設けられ、参照番号１２はチューナ周波数を示す領域であり、参照番号１３は時計の時間を示す領域であり、参照番号１４は１行のテキスト（本例では、テキストの行は単語「ＣＬＡＳＳＩＣＡＬ」を含む）を示す領域である。
【０００７】
制御パネル１０は、ＲＤＳラジオ受信器動作に関連するいくつかの押しボタンを含む。押しボタンは、ＲＤＳボタン１５、上下選択（ＳＥＬ）トグルスイッチ１６、上下探索（ＳＥＥＫ）トグルスイッチ１７、走査（ＳＣＡＮ）ボタン１８、及び音量（ＶＯＬＵＭＥ）制御ノブ１９を含む。以下、様々なＲＤＳ機能にアクセスする際の様々な押しボタンの使用を説明する。
【０００８】
図２に示されるように、ＲＤＳ又はＲＢＤＳラジオ受信器２０はマイクロ制御器２１の制御の下で動作する。ラジオ放送信号はアンテナ２２によって受信され、マイクロ制御器２１によって制御されるチューナ２３へ中継される。マイクロ制御器２１からの「同調」信号はチューナ２３が同調する周波数を命令する。ユーザはラジオボタン２４によってこの周波数を制御しうる。受信されたラジオ放送信号が補助データを含むＲＤＳ又はＲＢＤＳ信号であれば、補助データはチューナ２３とマイクロ制御器２１との間に接続される補助復号化器２５によって受信された信号から除去される。チューナ２３は受信された放送信号の信号強度又は他の品質尺度を同定する「品質」信号をマイクロ制御器２１に与える。チューナ２３からの音声信号はスピーカ２７によって再生される前に音声プロセッサ２６によって処理される。マイクロ制御器２１はまた各プリセットボタンに対するリンクを記憶するメモリ２８及び英数字ディスプレイ２９に接続される。ディスプレイ２９をボタン２４と共に操作する特定の方法は本発明のユーザインタフェースを与える。
【０００９】
本発明の１つの面によれば、ＲＤＳボタン１５は受信器の現在の動作状態に依存して異なるタスクを実行する多機能ボタンである。ＲＤＳボタン１５を所定の時間（例えば３秒）よりも長く押し下げ、そのままにすることにより、ラジオ受信器は、交通情報、他の周波数のサーチ等といった全てのＲＤＳ機能を同時にオン又はオフに切り換える。そのような（交通情報又は緊急警告メッセージへの自動切り換えといった）自動ＲＤＳ機能の実行の間、ＲＤＳボタン１５は自動機能を取り消すために使用される。ＲＤＳボタン１５はまた本発明において様々なＲＤＳ受信器機能が制御されうるメニューモードに入るために使用される。
【００１０】
図３は、本発明のメニューの望ましい構造を示す図である。メニューは別個の受信器機能に整理され、各受信器機能は選択されうる様々な機能値を有する。特定の受信器機能がアクセスされると、現在セットされている機能値が制御パネルディスプレイ上に表示されることが望ましい。機能値は選択トグルスイッチを使用して変更されうる。いくつかのＲＤＳアクションは、メニューモードである間に探索又は走査ボタン又は音量制御ノブといった「アクションコントロール」を作動させることによって始動されうる。
【００１１】
図３は、本発明のメニュー構造を示す図である。複数の受信器機能はＲＤＳボタンを押すことによってメニューの中で順次にアクセスされうる。受信器機能は最もよく使用される機能が最初に表示されるよう実質的に使用頻度の順にメニュー上に表示される。どの受信器機能が最も使用される可能性が高いかは様々な条件によって影響を受けるため、これらの条件が検知され、機能のメニューの順序は受信器の瞬間的な状態によって変化されうる。
【００１２】
図３は、最初の調整可能な受信器機能がボックス３０の交通情報受信可能／不可能であるような、受信器機能の最も典型的な順序を示す図である。メニューの次の受信器機能、即ちボックス３１のＦＩＮＤ機能は、ＲＤＳボタンを押し下げることによってアクセスされうる。ＳＨＯＷメニュー項目３２、時計の時間メニュー項目３３及び時計の分メニュー項目３４は、ＲＤＳボタンの続く作動によってアクセスされうる。受信器は、ＲＤＳボタンの更なる作動によってメニューモードを出る。
【００１３】
各受信器機能は選択（「ＳＥＬ」）トグルボタンによって調整される夫々の機能値を有する。メニューモードにおいていつでも調整されうる受信器機能はその機能値の現在の設定を表示することによって示されることが望ましい。従って、交通情報受信可能／不可能受信器機能では、交通情報に自動的に同調する機能が可能にされているか不可能にされているかによって、ボックス３５に示されるような「ＲＤＳ交通情報オン」又はボックス３６に示されるような「ＲＤＳ交通情報オフ」のいずれかの表示メッセージが表示される。機能値を変更するために選択ボタンが使用されるとき、ディスプレイは直ぐに更新され、新しい交通情報受信可能／不可能状態は選択ボタンの押し下げと同時に、又はメニューがもはや交通情報受信可能／不可能状態を調整するモードに無いとき（例えば次の受信器機能メニュー項目がアクセスされるか又はタイムアウト期間の後）に有効となりうる。
【００１４】
ＦＩＮＤ受信器機能は聴取者が放送局の中からＲＤＳ番組タイプコードＰＴＹによって定義されるような特定フォーマットの局をサーチすることを可能にする。番組タイプは図３のボックス４０乃至４９に示されており、夫々は１つ以上のＲＤＳ  ＰＴＹコードに対応しうる。ＰＴＹコードは多数あるため、図示されるような減少された数のグループを与えることで受信器の使用が簡単化される。所望の番組タイプがディスプレイに表示されると、ユーザは探索ボタン又は走査ボタンを押すことによりＦＩＮＤ機能を作動させうる。探索ボタンが押されると、番組タイプコードを満たし、聴取可能であるのに充分な信号強度を有する放送が見つかるまで、帯域は現在同調されている周波数から所望の探索方向で掃引される。チューナは聴取者によって更なるアクションが行われるまで見出された周波数に維持される。ＦＩＮＤボタンが代わりに走査ボタンによって始動されると、チューナは試聴期間（例えば６秒間）に亘って各見出された放送に維持され、続いて他の有効な放送局を見つけるために次の放送へ移る。帯域の終端に達すると、チューナは帯域の反対の端に変わり、ＦＩＮＤ機能を継続する。
【００１５】
ＳＨＯＷ受信器機能は、ＲＤＳ局が同調された場合、ＲＤＳ情報があれば、ラジオ状態ディスプレイ上にどのＲＤＳ情報が表示されるかを聴取者が選択することを可能にする。最初に、ディスプレイは選択された現在の情報表示オプションを示す。選択は、（１）ＲＤＳ補助データの中の特定フィールドの中で伝送された番組サービス名、（２）現在の番組タイプ、又は（３）ＲＤＳ情報が無いこと（即ち空白のディスプレイ部）の表示を含む。放送者は番組サービス名のために予約された補助データフォーマットの部分の中で任意の情報を伝送することが許可されるため、ユーザがそれを表示することを望まない場合はこの情報を空白にすることが可能であることが望ましい。
【００１６】
時計の時間及び時計の分の設定に対応する受信器機能に対しては、ディスプレイは夫々「時計の時間設定」又は「時計の分設定」メッセージを表示し、時間及び分は選択ボタンを使用して、時間及び分が時計のディスプレイ上で更新されて設定されうる。
ラジオ受信器に最初に電力が供給されて以来時計の時間及び分が設定されていない場合、時計は不正確であることが予期でき、ユーザが時計を設定し直そうとする可能性は増加する。従って、電力が供給されたとき以来時計が設定されていないときには、メニューの中の受信器機能の順序は、図４に示されるように変更されることが望ましい。従って、この動作状態における新しいメニューの順序は時計の時間６０、時計の分６１、交通情報受信可能／不可能６２、ＦＩＮＤ  ６３及びＳＨＯＷ  ６４を含む。
【００１７】
カセットテープ又はコンパクトディスクといった他の媒体がラジオ受信器によって再生されるとき、受信器機能のメニューの順は、ＦＩＮＤ及びＳＨＯＷといった関係の無い機能を削除することによって更に変更されることが望ましい。
本発明の動作は更に図５に示される状態図を使用して説明される。状態７０においてラジオ受信器がターンオンされた後、通常動作状態７１に進む。３秒以上のＲＤＳボタンの押し下げに応じて、状態７２においてラジオ受信器は全てのＲＤＳ特徴の可能又は不可能状態を切り換え、次に通常状態７１に戻る。
【００１８】
交通情報受信機能がオン即ち可能であるがＲＤＳ交通情報放送を聴取していない通常状態７１にあるとき、監視されるＲＤＳ局が交通情報が進行中であることを示すＲＤＳフラグを搬送しはじめると、ラジオ受信器は交通情報が自動的に再生される状態７３に入る。交通情報の終了と同時に、受信器は以前の音声源に戻り、通常状態７１に戻る。交通情報の再生中にＲＤＳボタンが押し下げられると、状態７４において交通情報の更なる再生は取り消され、受信器は直ぐに通常状態７１に戻る。受信器は緊急警報といった他の種類の情報に対しても同様に動作する。
【００１９】
通常状態７１にあるときにＲＤＳボタンが３秒以下に亘って押し下げられると、状態７５においてメニューモードに入る。約１０秒のタイムアウト期間に亘ってラジオ受信器制御に対する活動が無ければ、受信器は通常状態７１に戻る。メニューモード状態７５の間、３秒以下のＲＤＳボタンの作動は受信器を受信器機能の次のメニュー項目にインクリメントさせ、次に受信器はメニューモード状態７５に戻る。ただし最後のメニュー項目が表示されているときは受信器は通常状態７１に戻る。
【００２０】
メニューモード状態７５にあるとき、ＳＥＬボタンの各押し下げによって、受信器は機能値が図３に示される順序で変化される状態７７に入る。機能値が変化された後、受信器はメニューモード状態７５に戻る。アクションコントロールが作動されたとき（例えば探索又は走査ボタンの押し下げ、又は音量ノブの調整）、状態７８において適当なＲＤＳアクションが行われ、次に受信器はメニューモード状態７５に戻る。音量ノブは、例えば交通情報再生の間に使用される音量レベルを調整するために使用される。
【００２１】
本発明のインタフェース及び制御配置により、ラジオのユーザに対してＲＤＳ機能への簡単且つ自然なアクセス方法が提供される。制御パネル上には幾つかのボタンのみが必要とされ、よって各個々の機能は比較的少ない数のボタンの押し下げによってアクセスされうる。メニューを出るために比較的長いタイムアウト期間を採用することにより自動車の運転者による操作が容易にされる。ディスプレイに表示されるメニュープロンプトは更にユーザが長いボタンシーケンス又は多数の押しボタンに対応する機能を覚えることに対する負担を軽減する。
【図面の簡単な説明】
【図１】  本発明によるラジオ制御パネルの正面図を示す図である。
【図２】  本発明によるラジオ受信器の要素を示す概略的なブロック図である。
【図３】  本発明によるメニューインタフェースの概略図を示す図である。
【図４】  受信器の動作状態に依存するメニュー項目の他の順序を示す図である。
【図５】  受信器の現在の動作状態に依存してＲＤＳボタンによって実行される様々な機能を示す状態図である。
【符号の説明】
１０  ラジオ制御パネル
１１  英数字ディスプレイ
１２，１３，１４  表示領域
１５  ＲＤＳボタン
１６  上下選択（ＳＥＬ）トグルスイッチ
１７  上下探索（ＳＥＥＫ）トグルスイッチ
１８  走査（ＳＣＡＮ）ボタン
１９  音量（ＶＯＬＵＭＥ）制御ノブ
２０  ＲＤＳ又はＲＢＤＳラジオ受信器
２１  マイクロ制御器
２０  ＲＤＳ又はＲＢＤＳラジオ受信器
２１  マイクロ制御器
２２  アンテナ
２３  チューナ
２４  ラジオボタン
２５  補助復号化器
２６  音声プロセッサ
２７  スピーカ
２８  メモリ
２９  英数字ディスプレイ
【図１】
0003933797.tif 000002
【図２】
0003933797.tif 000003
【図３】
0003933797.tif 000004
【図４】
0003933797.tif 000005
【図５】
0003933797.tif 000006